(57)【特許請求の範囲】
【請求項１】
液晶表示パネルに映像を表示するための駆動信号を供給する複数のブロックに分割された液晶駆動装置、この液晶駆動装置にクロック信号を供給する制御部を備え、前記液晶駆動装置は、前記クロック信号を入力する入力バッファ及び前記クロック信号を出力する出力バッファを有し、前記クロック信号は、前記制御部から前記液晶駆動装置にクロック配線によって供給され、前記クロック配線は、各ブロックに順次前記クロック信号を供給するように接続された配線と、この配線から各ブロック内の各液晶駆動装置に共通に前記クロック信号を供給するように接続された配線とによって構成され、前記各ブロックに順次前記クロック信号を供給するように接続された配線の前記ブロック間では、各ブロックの最終位置に配置された前記液晶駆動装置の出力バッファを経由して前記クロック信号が供給されることを特徴とする液晶表示装置。
【請求項２】
液晶駆動装置は、入出力バッファと、この入出力バッファの入力及び出力を切替える切替え手段を有し、前記液晶駆動装置の入力バッファ及び出力バッファは、前記液晶駆動装置の入力に切替えられた入出力バッファ及び前記液晶駆動装置の出力に切替えられた入出力バッファであることを特徴とする請求項１記載の液晶表示装置。
【発明の詳細な説明】
【０００１】
【発明の属する技術分野】
この発明は、液晶駆動装置を有する液晶表示装置に関するものである。
【０００２】
【従来の技術】
図８は、従来の液晶表示装置に用いられるクロック信号の配線図である。
図において、１はタイミング制御部、２は水平ドライバ部、３は水平ドライバ部２を構成する液晶駆動装置、４はクロック信号などを伝送するバスライン、５は画像ディジタル信号及び制御信号を伝送するバスラインである。
【０００３】
図９は、従来の液晶表示装置におけるクロック信号を示す図である。
大画面、高精細の液晶表示装置では、液晶駆動装置の画像ディジタル信号のサンプリングクロック信号（以下、クロック信号）の周波数が高い。また、表示領域の額縁を狭くすることやコストを抑えることなどの要求から、タイミング制御部１から水平ドライバ部２の液晶駆動装置３へ、クロック信号を伝送するバスライン４や画像ディジタル信号及び制御信号を伝送するバスライン５を有するプリント基板が細長いものになってしまうため、図８のようにクロック信号のバスライン４は、１本のメインルート配線を行っている。
【０００４】
【発明が解決しようとする課題】
メインルート配線を行った場合、クロック信号と画像ディジタル信号及び制御信号の伝送距離も長く、クロック信号と画像ディジタル信号及び制御信号の反射ノイズが大きくなる。また、ＳＸＧＡ（Ｓｕｐｅｒ  Ｅｘｔｅｎｄｅｄ  Ｇｒａｐｈｉｃｓ  Ａｒｒａｙ）以上の高精細になると、１つのバスラインにつながる入力数も１０以上と多くなり、容量負荷が増加したり、多重反射が生ずる。
このようにして大画面、高精細の液晶表示装置では、図９のようにクロック信号のエッジが汚くなることや、クロック信号のＨｉ／Ｌｏｗ固定期間が少なくなることがあり、液晶駆動装置の動作規格から外れてしまい、ジッタ不良や液晶駆動装置の動作不良が生じる。従来は、反射ノイズを押さえるために終端抵抗を入れていたが、直流電流が電源とＧＮＤに流れ、消費電力が増加するので好ましくない。
【０００５】
この発明は、上記のような課題を解決するためになされたもので、クロック信号のエッジやＨｉ／Ｌｏｗ固定期間を確保し、ジッタ不良や液晶駆動装置の動作不良を防ぐことができる液晶表示装置を得ることを第一の目的とする。
また、交差しないクロック配線を有する液晶表示装置を得ることを第二の目的としている。
また、画像信号のセットアップ／ホールド期間を確保し、ジッタ不良や液晶駆動装置の動作不良を防ぐことができる液晶表示装置を得ることを第三の目的にしている。
【０００６】
【課題を解決するための手段】
この発明に係わる液晶表示装置においては、液晶表示パネルに映像を表示するための駆動信号を供給する複数のブロックに分割された液晶駆動装置、この液晶駆動装置にクロック信号を供給する制御部を備え、液晶駆動装置は、クロック信号を入力する入力バッファ及びクロック信号を出力する出力バッファを有し、クロック信号は、制御部から液晶駆動装置にクロック配線によって供給され、クロック配線は、各ブロックに順次クロック信号を供給するように接続された配線と、この配線から各ブロック内の各液晶駆動装置に共通にクロック信号を供給するように接続された配線とによって構成され、各ブロックに順次クロック信号を供給するように接続された配線のブロック間では、各ブロックの最終位置に配置された液晶駆動装置の出力バッファを経由してクロック信号が供給されるものであ
る。
【０００７】
また、液晶駆動装置は、入出力バッファと、この入出力バッファの入力及び出力を切替える切替え手段を有し、液晶駆動装置の入力バッファ及び出力バッファは、液晶駆動装置の入力に切替えられた入出力バッファ及び液晶駆動装置の出力に切替えられた入出力バッファであるものである。
【０００９】
【発明の実施の形態】
以下、この発明の一実施の形態を図について説明する。
実施の形態１．
図１は、実施の形態１による液晶駆動装置の回路構成を示す概略図である。
図において、６は画像ディジタル信号及び制御信号の入力バッファ、７はクロック信号の入力バッファ、８はシフトレジスタ、ラッチ回路、ディジタル／アナログ変換回路、出力アンプなどを有する駆動回路部、９はクロック信号の出力バッファで、６〜９で液晶駆動装置３を構成する。出力バッファ９は、シリコンウエハプロセスで形成されるドライバＩＣや液晶パネルと同一プロセスで形成される液晶パネル一体型ドライバ回路などの液晶駆動装置の出力バッファとして構成される。
【００１０】
図２は、実施の形態１による液晶表示装置を示す回路図である。
図において、１はタイミング制御部、２は水平ドライバ部、３は水平ドライバ部２を構成する液晶駆動装置で、ｎ個毎にブロックに分けられて、タイミング制御部１から、クロック信号、画像ディジタル信号及び制御信号が供給される。５は画像ディジタル信号及び制御信号を伝送するバスラインである。１０は垂直ドライバ部、１１は水平ドライバ部２及び垂直ドライバ部１０によって信号が供給される液晶表示パネル部、１２はｎ個おきのカスケード接続となっているクロック配線で、ブロック間は出力バッファ９を介して接続され、ブロック内の液晶駆動装置は共通に接続されている。
図３は、この発明の実施の形態１による液晶表示装置のクロック信号を示す図である。
【００１１】
次に動作について説明する。
信号源からのクロック信号、画像ディジタル信号及び制御信号をタイミング制御部１で液晶を駆動するための信号に変えて、垂直ドライバ部１０及び水平ドライバ部２に伝送する。垂直ドライバ部１０及び水平ドライバ部２では必要に応じて、レベル変換やディジタル／アナログ変換などを行い、液晶表示パネル部１１に信号を伝送し、液晶を駆動する。タイミング制御部１から水平ドライバ部２の液晶駆動装置３へのクロック配線１２は、ｎ個おきのカスケード接続となっている。最初に、タイミング制御部１の出力バッファより出力された信号は、ｎ個の液晶駆動装置３に伝送される。ｎ個目（最後）の液晶駆動装置３は、入力されたクロック信号を出力バッファ９より直ちに出力し、このクロック信号はｎ＋１番目から２ｎ番目までのｎ個の液晶駆動装置３に伝送される。このようにしてｎ個おきのクロック信号の伝送を行い、すべての液晶駆動装置３にクロック信号を伝送する。
クロック信号は、図３のように、従来の１本のメインルート配線でのクロック信号のようなクロックエッジのみだれや反射ノイズが低減される。その結果、クロックエッジやＨｉ／Ｌｏｗ固定期間を確保して、ジッタ不良や液晶駆動装置３の動作不良を防ぐ。
【００１２】
実施の形態２．
図４は、この発明の実施の形態２による液晶表示装置を示す回路図である。
図において、１〜３、５、１０〜１２は図２におけるものと同一のものである。１３は液晶駆動装置３の外部に接続された出力バッファである。
【００１３】
次に動作について説明する。
タイミング制御部１から水平ドライバ部２の液晶駆動装置３へのクロック配線１２は、ｎ個おきのカスケード接続となっており、ｎ個おきに液晶駆動装置３外部に出力バッファ１３が接続されている。出力バッファ１３は、シリコンウエハプロセスで形成される標準ロジックＩＣや液晶表示パネルと同一プロセスで形成されるＴＦＴで構成された出力バッファである。最初に、タイミング制御部１の出力バッファより出力されたクロック信号は、ｎ個の液晶駆動装置３に伝送される。ｎ個目の液晶駆動装置３外部の出力バッファ１３は入力されたクロック信号を直ちに出力し、このクロック信号はｎ＋１番目から２ｎ番目までのｎ個の液晶駆動装置３に伝送される。このようにしてｎ個おきのクロック信号の伝送を行い、すべての液晶駆動装置３にクロック信号を伝送する。
実施の形態１と同様にクロック信号は、従来の１本のメインルート配線でのクロック信号のようなクロックエッジのみだれや反射ノイズが低減される。その結果、クロックエッジやＨｉ／Ｌｏｗ固定期間を確保して、ジッタ不良や液晶駆動装置３の動作不良を防ぐ。
【００１４】
実施の形態３．
図５は、この発明の実施の形態３による液晶駆動装置を示す回路構成図である。
図において、３、８、６は図１におけるものと同一のものである。１４は液晶駆動装置３内に設けられたクロック信号の入出力バッファ、１５は入出力バッファ１４の入力または出力を切替えるシフト方向設定端子である。
【００１５】
次に動作について説明する。
画像ディジタル信号などの入力バッファ６を有する液晶駆動装置３に、クロック信号の入出力バッファ１４と、シフト方向設定端子１５を設け、シフト方向設定端子１５の設定により、クロック信号の入出力バッファ１４のどちらか一方が入力バッファ、もう一方が出力バッファとして機能することにより、シフト方向がどちらでも配線が交差せずにカスケード接続の配線ができる。クロック配線をｎ個おきのカスケード接続することにより、ジッタ不良や液晶駆動装置３の動作不良を防ぐとともに、シフト方向によらず配線の交差しないカスケード接続が可能となり、基板層数や面積が低減できる。
【００１６】
実施の形態４．
図６は、この発明の実施の形態４による液晶駆動装置を示す回路構成図である。
図において、３、６〜９は図１におけるものと同一のものである。１６は画像ディジタル信号及び制御信号の出力バッファで、液晶駆動装置３内に設けられている。
図７は、この発明の実施の形態４による液晶表示装置のクロック信号、画像ディジタル信号及び制御信号を示す図である。
【００１７】
次に動作について説明する。
実施の形態４は、実施の形態１の構成に加えて、画像ディジタル信号及び制御信号の出力バッファ１６を設けてある。この液晶駆動装置３を用いることにより、クロック信号だけでなく、画像ディジタル信号及び制御信号についてもカスケード接続を行うことができ、エッジのみだれや反射ノイズが低減される。クロックエッジやＨｉ／Ｌｏｗ固定期間確保して、ジッタ不良や液晶駆動装置３の動作不良を防ぐとともに、図７に示すように出力バッファの遅延によるクロック信号と画像ディジタル信号及び制御信号との位相差が生じないため、画像ディジタル信号及び制御信号のセットアップ／ホールド期間が確保でき、ジッタ不良や液晶駆動装置３の動作不良を防ぐ。
【００１８】
【発明の効果】
この発明は、以上説明したように構成されているので、以下に示すような効果を奏する。
液晶表示パネルに映像を表示するための駆動信号を供給する複数のブロックに分割された液晶駆動装置、この液晶駆動装置にクロック信号を供給する制御部を備え、液晶駆動装置は、クロック信号を入力する入力バッファ及びクロック信号を出力する出力バッファを有し、クロック信号は、制御部から液晶駆動装置にクロック配線によって供給され、クロック配線は、各ブロックに順次クロック信号を供給するように接続された配線と、この配線から各ブロック内の各液晶駆動装置に共通にクロック信号を供給するように接続された配線とによって構成され、各ブロックに順次クロック信号を供給するように接続された配線のブロック間では、各ブロックの最終位置に配置された液晶駆動装置の出力バッファを経由してクロック信号が供給されるので、クロック信号のエッジやＨｉ／Ｌｏｗ固定期間を確保し、ジッタ不良や液晶駆動装置の動作不良を防ぐ。
【００１９】
また、液晶駆動装置は、入出力バッファと、この入出力バッファの入力及び出力を切替える切替え手段を有し、液晶駆動装置の入力バッファ及び出力バッファは、液晶駆動装置の入力に切替えられた入出力バッファ及び液晶駆動装置の出力に切替えられた入出力バッファであるので、クロック信号のエッジやＨｉ／Ｌｏｗ固定期間を確保し、ジッタ不良や液晶駆動装置の動作不良を防ぐと共に、交差しないクロック配線を行うことができる。
【図面の簡単な説明】
【図１】  この発明の実施の形態１による液晶駆動装置の回路構成を示す概略図である。
【図２】  この発明の実施の形態１による液晶表示装置を示す回路図である。
【図３】  この発明の実施の形態１による液晶表示装置のクロック信号を示す図である。
【図４】  この発明の実施の形態２による液晶表示装置を示す回路図である。
【図５】  この発明の実施の形態３による液晶駆動装置の回路構成を示す概略図である。
【図６】  この発明の実施の形態４による液晶駆動装置の回路構成を示す概略図である。
【図７】  この発明の実施の形態４による液晶表示装置のクロック信号、画像ディジタル信号及び制御信号を示す図である。
【図８】  従来の液晶表示装置に用いられるクロック信号の配線図である。
【図９】  従来の液晶表示装置に用いられるクロック信号を示す図である。
【符号の説明】
１  タイミング制御部、  ２  水平ドライバ部、  ３  液晶駆動装置、
４  クロック信号のバスライン、
５  画像ディジタル信号及び制御信号のバスライン、
６  画像ディジタル信号及び制御信号の入力バッファ、
７  クロック信号の入力バッファ、  ８  駆動回路部、
９  クロック信号の出力バッファ、  １０  垂直ドライバ部、
１１  液晶表示パネル部、  １２  クロック配線、
１３  クロック信号の出力バッファ、
１４  クロック信号の入出力バッファ、  １５  シフト方向設定端子、
１６  画像ディジタル信号及び制御信号の入力バッファ。
【図１】
0003830663.tif 000002
【図２】
0003830663.tif 000003
【図３】
0003830663.tif 000004
【図４】
0003830663.tif 000005
【図５】
0003830663.tif 000006
【図６】
0003830663.tif 000007
【図７】
0003830663.tif 000008
【図８】
0003830663.tif 000009
【図９】
0003830663.tif 000010